(57)【特許請求の範囲】
【請求項１】
基地局（ＢＳ）と移動局（ＭＳ）との間で情報伝送するための方法において、
ａ）情報を少なくとも１つのネットワークプロバイダーに伝送するために、複数の周波数チャネル（ｆ）を含む周波数バンド（ｂ１）を使用し、
ｂ）情報の伝送を少なくとも一時的に、１つの周波数チャネル（ｆ１）内の無線信号を用いて行い、
ｃ）周波数バンド（ｂ１）内の周波数チャネル（ｆ）の搬送波周波数を、第１の粗いラスタパターンにしたがって配列し、
該粗いラスタパターンのラスタは周波数チャネルの幅に相応し、
ｄ）第２の微細なラスタパターンによる周波数チャネルは、前記第１の粗いラスタパターンに対してシフト可能であり、
ｅ）前記微細なラスタパターンの定義領域を、前記粗いラスタパターンの領域内では、所定のインターバルだけに制限することにより制限する、
ことを特徴とする情報伝送方法。
【請求項２】
移動局（ＭＳ）は、微細なラスタパターンの定義領域の制限についての情報に相応して、制限された周波数チャネルサーチだけを実行する、請求項１記載の方法。
【請求項３】
制限された周波数チャネルサーチを実行する際に、微細なラスタパターンの制限された定義領域の所定の値だけを優先的にサーチする、請求項２記載の方法。
【請求項４】
ａ）粗いラスタパターンと微細なラスタパターンとをそれぞれ変数情報（ｋ，ｎ）と定数情報により記述し、
ｂ）周波数チャネル（ｆ）は変数情報（ｋ，ｎ）と定数情報により一義的に記述可能であり、
ｃ）前記定数情報を移動局（ＭＳ）に記憶し、
ｄ）前記変数情報（ｋ，ｎ）を移動局（ＭＳ）に伝送する、請求項１から３までのいずれか１項記載の方法。
【請求項５】
ａ）粗いラスタパターンと微細なラスタパターンとをそれぞれ変数情報と定数情報により記述し、
ｂ）周波数チャネル（ｆ）はそれぞれ変数情報（ｋ，ｎ）と定数情報により一義的に記述可能であり、
ｃ）前記定数情報を基地局（ＢＳ）に記憶し、
ｄ）前記変数情報（ｋ，ｎ）を基地局（ＢＳ）に伝送する、請求項１から４までのいずれか１項記載の方法。
【請求項６】
ａ）情報の伝送をＣＤＭＡ方式にしたがって実行し、ＣＤＭＡコードによって拡散された無線信号を実質的に１つの周波数チャネル（ｆ１）内で伝送し、
ｂ）周波数チャネル（ｆ）を、複数の周波数チャネル（ｆ）間に存在する周波数間隔（ｄｅ，ｄｉ）により周波数チャネル（ｆ）の無線信号間の干渉が低減されるように配列する、請求項１から５までのいずれか１項記載の方法。
【請求項７】
基地局（ＢＳ）と移動局（ＭＳ）との間で情報伝送するための方法において、
情報の伝送を少なくとも一時的に、１つの周波数チャネル（ｆ１）内の無線信号を用いて行い、
１つの周波数チャネルの搬送波中央周波数ｍは次式により記述可能である、
ｍ＝ｆ０＋ｎ＊ｆｓ＋ｋ＊２００ｋＨｚ、ただし
ｆ０  粗いラスタの最小搬送波中央周波数、
ｆｓ  粗いラスタの搬送波間隔、
ｎ＝ＵＡＲＦＣＮ div Ｎｃ、
ｋ＝（ＵＡＲＦＣＮ mod Ｎｃ）−（Ｎｃ div ２）、
Ｎｃ＝粗いラスタパターンにおける搬送波の周囲で可能な搬送波位置の数、
ＵＡＲＦＣＮ＝使用される周波数チャネルの番号、
ことを特徴とする情報伝送方法。
【請求項８】
ａ）複数の周波数チャネル（ｆ）を含む周波数バンド（ｂ１）で情報を伝送するための手段（ＳＴＥ，ＨＦ，ＶＥ，ＡＮＴ）と、
ｂ）少なくとも微細なラスタパターンの定義領域の制限についての情報を記憶するための手段（ＳＰＥ）とを有する無線局（ＭＳ／ＢＳ）であって、
前記情報の伝送は少なくとも一時的に、１つの周波数チャネル（ｆ１）内の無線信号によって行われ、
周波数バンド（ｂ１）内の周波数チャネル（ｆ）の搬送波中央周波数は、第１の粗いラスタパターンにしたがって配列され、
第２の微細なラスタパターンによる周波数チャネルの配列は、第１の粗いラスタパターンに対してシフト可能であり、
前記粗いラスタパターンのラスタは周波数チャネルの幅に相応し、
前記微細なラスタパターンの定義領域は、前記粗いラスタパターンの領域内では、所定のインターバルだけに制限される
ことを特徴とする無線局。
【請求項９】
微細なラスタパターンの定義領域の制限についての情報に相応して、制限された周波数チャネルサーチを実行する手段（ＳＴＥ，ＨＦ，ＶＥ，ＡＮＴ）を有する、請求項８記載の無線局（ＭＳ／ＢＳ）。
【請求項１０】
粗いラスタパターンと微細なラスタパターンとを記述するために定数情報を記憶するための手段（ＳＰＥ）を有する、請求項８または９記載の無線局（ＭＳ／ＢＳ）。
【請求項１１】
周波数チャネルを記憶された定数情報と伝送された可変情報とから検出するための手段（ＳＴＥ）を有する、請求項１０記載の無線局（ＭＳ／ＢＳ）。
【請求項１２】
ａ）情報をＣＤＭＡ方式に従って伝送するための手段（ＨＦ，ＳＴＥ，ＶＥ，ＡＮＴ）と、
ｂ）使用すべき周波数チャネル（ｆ、単数または複数）を配列するための手段（ＳＴＥ）とを有する無線局であって、
ＣＤＭＡコードによって拡散された無線信号は１つの周波数チャネル（ｆ）内で伝送され、
前記配列は、周波数チャネル（ｆ）間に存在する周波数間隔（ｄｅ，ｄｉ）により周波数チャネル（ｆ）の無線信号間の干渉が低減されるように行われる、請求項１０から１３までのいずれか１項記載の無線局（ＭＳ／ＢＳ）。
【請求項１３】
少なくとも一時的に１つの周波数チャネル（ｆ１）内で無線信号によって情報を伝送するための手段を有し、
前記１つの周波数チャネルの搬送波中央周波数ｍは次式にしたがって記述可能である、
ｍ＝ｆ０＋ｎ＊ｆｓ＋ｋ＊２００ｋＨｚ、ただし
ｆ０  粗いラスタの最小搬送波中央周波数、
ｆｓ  粗いラスタの搬送波間隔、
ｎ＝ＵＡＲＦＣＮ div Ｎｃ、
ｋ＝（ＵＡＲＦＣＮ mod Ｎｃ）−（Ｎｃ div ２）、
Ｎｃ＝粗いラスタパターンにおける搬送波の周囲で可能な搬送波位置の数、
ＵＡＲＦＣＮ＝使用される周波数チャネルの番号、
ことを特徴とする無線局（ＭＳ／ＢＳ）。
【発明の詳細な説明】
【０００１】
本発明は、情報伝送をとりわけ移動無線システムを用いて行うための方法および無線局に関する。無線局はここでは使用される周波数チャネル装置、および相応に適合された周波数チャネルサーチである。
【０００２】
従来の移動無線システム、例えばＧＳＭ（Global System for Mobile Communication）システムでは、伝送能力を効率的に使用するために多重アクセス法が使用される。ここでは周波数多重アクセス法ＦＤＭＡに従い、使用される複数の周波数バンドも複数の周波数チャネルに分割される。ＧＳＭモードに対しては４５ＭＨｚの帯域間隔をおいて２つの周波数バンドがリザーブされている。移動局から基地局へのアップリンクに対しては８９０ＭＨｚから９１５ＭＨｚの領域がリザーブされ、基地局から移動局へのダウンリンクに対しては９３５ＭＨｚから９６０ＭＨｚの領域がリザーブされている。周波数バンドは２５ＭＨｚの幅を有し、それぞれ２００ｋＨｚを有する１２４の個々の周波数チャネルに分割されている。しばしば１つの周波数バンドはさらに分割され、生じる部分周波数バンドおよび相応の周波数チャネルは種々のネットワークプロバイダーに割り当てられる。
【０００３】
将来の移動無線システム、例えば規格化されたワイドバンドＣＤＭＡシステムでも、場合により他のアクセス方式、例えば時分割多重アクセス法ＴＤＭＡと関連して、周波数多重アクセス方式ＦＤＭＡが符号多重アクセス方式ＣＤＭＡと共に使用される。
【０００４】
本発明の課題は、移動無線システムを介する通信のために、既存の周波数領域を配列し、区分し、さらに個々のネットワークプロバイダーないしは加入者に割り当てし、これらを情報伝送にさらに効率的に使用できるようにすることである。
【０００５】
この課題は、独立請求項の構成によって解決される。改善形態は従属請求項に記載されている。
【０００６】
本発明は次の技術思想に基づくものである。すなわち、使用可能な周波数領域を複数の周波数バンド、または少なくとも１つの周波数バンドと複数の周波数チャネルに分割し、これら周波数チャネルを第１の粗いラスタパターンと第２の微細なラスタパターンにしたがって配列し、その際に微細なラスタパターンの定義領域が少なくとも制限されるようにするのである。
【０００７】
ここで粗いラスタパターンは例えば搬送波間隔により記述することができ、微細なラスタパターンはサブラスタとして記述することができる。
【０００８】
このことにより所定の周波数チャネルを比較的少数の情報により記述することができ、相応に制限された周波数チャネルサーチを実行するためにこの情報を使用する場合には、ネットワークサーチないし同期を比較的小さなコストによって実行できるようになる。
【０００９】
本発明の別の改善形態では、粗いラスタパターンと微細なラスタパターンとがそれぞれ変数情報と定数情報により記述される。第１の定数情報を無線局に記憶し、第２の変数情報を無線局間で伝送することにより、無線チャネルを一義的に記述するための情報を比較的に小さなコストによって無線局間で交換することができる。
【００１０】
本発明の別の構成では、情報がＣＤＭＡ方式に従って伝送され、その際にＣＤＭＡコードによって拡散された無線信号は実質的に１つの周波数チャネル内で伝送され、周波数チャネルの配列は、周波数チャネルの無線信号間の干渉ができるだけ大きく低減されるように、ラスタスパターンにしたがって伝送特性に適合される。
【００１１】
本発明はまた、第１の基地局ＢＳと第１の移動局ＭＳとの間、および第２の基地局ＢＳと第２の移動局ＭＳとの間で情報伝送するための方法を含む。この方法では、情報を伝送するために複数の周波数チャネルｆが使用され、第１の基地局ＢＳと第１の移動局ＭＳとの間での情報伝送は少なくとも一時的に無線信号を用いて実質的に第１の周波数チャネルｆ１内で行われ、第２の基地局ＢＳと第２の移動局ＭＳとの間での情報伝送は少なくとも一時的に無線信号を用いて実質的に第２の周波数チャネルｆ２内で行われ、ここでは第１の基地局と第２の基地局とを異なるネットワークプロバイダー、または階層的セルシステムの異なるレイヤーに割り当てることができる。
【００１２】
伝送とは、本明細書の枠内では通信の送信および／または受信であると理解されたい。
【００１３】
本発明を以下、有利な実施例に基づき詳細に説明する。実施例の説明のために以下の図面を用いる。
図１は、移動無線システムのブロック回路図である。
図２は、多重アクセス方式を説明するための概略図である。
図３は、周波数チャネル割り当てのためのラスタパターンの概略図である。
図４は、無線局のブロック回路図である。
【００１４】
図１にはセルラー形移動無線システムが示されている。このセルラー形移動無線システムは多数の移動交換局ＭＳＣからなり、これらは相互にメッシュ化されており、固定網ＰＳＴＮへの入口を形成する。さらにこの移動交換局ＭＳＣはそれぞれ少なくとも１つの基地局コントローラＢＳＣと接続されている。この基地局コントローラはまたデータ処理システムにより形成することもできる。各基地局コントローラＢＳＣはさらに少なくとも１つの基地局ＢＳと接続されている。このような基地局ＢＳは無線局であり、無線インタフェースを介して別の無線局、いわゆる移動局ＭＳと無線接続を形成することができる。移動局ＭＳとこの移動局ＭＳに配属された基地局ＢＳとの間で無線信号を用い、情報を周波数チャネルｆ内で伝送することができる。この周波数チャネルｆは周波数バンドｂ内にある。ここで無線信号の伝送はそれ自体公知の、とりわけデジタル・データ伝送方式で所定の周波数チャネル内で行われる。この周波数チャネルも相応の搬送波周波数により記述することができる。この搬送波周波数で伝送される信号の信号出力はここでは実質的に、しかし通常はそれに限るものではないが、搬送波周波数を中心にする所定の領域内にある。この領域を、周波数チャネルを記述するために用いることもできる。
【００１５】
基地局の無線信号の到達距離は実質的に無線セルＦＺを規定する。リソース、例えば周波数チャネルまたは拡散コード群の無線セルＦＺへの割り当て、およびひいては伝送すべき情報への割り当ては制御装置、例えば基地局コントローラＢＳＣによって制御することができる。基地局ＢＳと基地局コントローラＢＳＣとは１つの基地局システムＢＢＳにまとめることができる。
【００１６】
ここで基地局システムＢＳＳは、無線チャネル管理ないし無線チャネル割り当て、データ速度適合、無線伝送区間の監視、ハンドオーバプロシージャ、および管理すべき拡散コードの割り当てないしシグナリングを行い、これに必要なシグナリング情報を移動局ＭＳへ伝送する。
【００１７】
移動無線システムを実現する際にはしばしば次の状況が発生する。すなわち、地理的領域が複数の異なるネットワークプロバイダーの移動無線システムにより同時にカバーされるという状況が発生する。ここで種々のネットワークプロバイダーにはとりわけ管理当局によって通常は種々異なる周波数チャネルが割り当てられ、これらの周波数チャネルをネットワークプロバイダーは情報伝送のために接続ないしは加入者に割り当てることができる。
【００１８】
しかし種々のネットワークプロバイダーが最適に共働していないと、種々異なるネットワークプロバイダーの移動無線システムが最適に計画されず、そのためとりわけ異なるネットワークプロバイダーの隣接する周波数領域にしばしば干渉問題が発生する。異なる周波数チャネルで大きさの異なるセルが使用されると（「レイヤー」が異なる）、ネットワークプロバイダーの移動無線システム内にさらに大きな干渉が発生する。このようなセル分配を階層的セルシステムと称する。
【００１９】
図２は、可能な多重アクセス方式のフレーム構造を示す。このフレーム構造は、無線インタフェースを介して伝送される情報によって分離することができ、所定の接続ないしは相応の加入者に割り当てることができる。このために時分割多重アクセス方式ＴＤＭＡ、周波数多重アクセス方式ＦＤＭＡ、符号多重アクセス方式ＣＤＭＡ、またはこれら多重アクセス方式の複数の組合せが使用される。
【００２０】
ＦＤＭＡでは１つの周波数バンドｂが複数の周波数チャネルｆに分割される。これら周波数チャネルは時分割多重アクセス方式ＴＤＭＡによりタイムスロットｔｓに分割される。１つのタイムスロットｔｓと周波数チャネルｆ内で伝送される信号は、接続ごとに情報に重畳変調された拡散コード、いわゆるＣＤＭＡコードｃｃによって分離することができる。このようにして発生した物理的チャネルは設定されたスキームに従い論理的チャネルに割り当てられる。論理的チャネルでは基本的に２つの形式が区別される。すなわち、シグナリング情報を伝送するためのシグナリングチャネルと、有効情報を伝送するためのトラフィックチャネルである。
【００２１】
図３は、第１の粗いラスタパターンと第２の微細なラスタパターンを示す。この第２の微細なラスタパターンに従い周波数チャネルｆが周波数バンドｂ内に配置される。ここで例えば周波数バンドｂ１が１つのネットワークプロバイダーに割り当てられ、周波数バンドｂ０が別のネットワークプロバイダーに割り当てられる。２つの周波数バンドを１つのネットワークプロバイダーに割り当てることもできる。種々異なる周波数バンドｂ内には複数の周波数チャネルｆが配置される。
【００２２】
周波数チャネルｆ１，ｆ２，ｆ３は１つの周波数バンドｂ１内に密に詰め込むことができる。すなわち、周波数バンドｂ１内における周波数チャネルｆ１とｆ２ないしｆ２とｆ３との間の内部周波数間隔ｄｉ（例えばｆ１とｆ２の周波数チャネル間の比較的小さなガードバンド）は、種々異なるネットワークプロバイダーの周波数チャネルｆ１とｆ８との間の外部周波数間隔ｄｅ（例えばｆ１とｆ８の周波数チャネル間の比較的大きなガードバンド）よりも小さく、ひいては通常は種々異なるネットワークプロバイダーに割り当てられる種々の周波数バンドｂよりも小さい。このことにより、異なるネットワークプロバイダーの隣接する周波数チャネルｆ８とｆ１間にちょうど発生する干渉問題が低減される。
【００２３】
階層的に区分され重ねられた、大きさの異なる無線セルにおいて、隣接する周波数チャネルｆが使用される場合、さらに大きな干渉が１つのネットワークプロバイダーの移動無線システム内にも発生することがある。したがって階層的区分の種々異なるレイヤーの周波数チャネルｆ間でも同様に、同じレイヤーの周波数チャネルｆ間よりも大きな周波数間隔、すなわち比較的に大きなガードバンドを挿入するのが有利である。
【００２４】
ラスタパターン内の周波数チャネルｆの配列は、物理的フレーム条件およびネットワークトポロジーに応じてフレキシブルに、この物理的フレーム条件に適合して次のように行うことができる。すなわち干渉が種々のプロバイダーの周波数チャネルｆ間において実質的に回避されるように行うことができる。
【００２５】
周波数チャネルｆの配列は、別のさらに微細なラスタパターンないしはさらに粗いラスタパターンにしたがって行うこともできる。
【００２６】
さらに周波数チャネルｆ１，ｆ２，ｆ３ないしそれらの中央周波数ｍ（搬送波周波数）を１つの周波数バンドｂ内で、ないし１つのレイヤー内で、これらが重なるように密に詰め込むことができる。このことは１つの周波数バンド内ないし１つのレイヤー内での干渉が増大するものであったとしても、種々異なる周波数バンドｂ間の干渉、ないし種々異なるレイヤー間の干渉が低減されるので、全体として干渉が低減されることとなる。
【００２７】
微細なラスタパターンが定義される周波数領域、すなわち微細なラスタパターンがカバーする周波数領域を制限することができる。したがって粗いラスタパターンの定義領域により制限された微細なラスタパターンの定義領域は、粗いラスタパターンの定義領域内でさらに制限される。この制限は例えば粗いラスタパターンの定義領域内では、所定のインターバルだけに制限することにより行う。したがって粗いラスタパターンによりカバーされる周波数領域の一部だけが微細なラスタパターンによってもカバーされ、これにより中央周波数ｍとして定義される。
【００２８】
粗いラスタパターンのスケーリングは整数ｎにより行われる。ここでｎに対する範囲も制限された使用可能な周波数バンドに相応して制限することができる。微細なラスタパターンのスケーリングは整数ｋにより行われる。ここで粗いラスタパターンｎのスケーリング点には微細なラスタパターンに対してそれぞれ１つのゼロ点がある。ｋに対する定義領域は制限することができ、これにより微細なラスタパターンは全体周波数領域の所定のインターバルで定義される。
【００２９】
将来のＣＤＭＡ移動無線システム、例えばワイドバンドＣＤＭＡシステム、またはＦＤＤモード（周波数分割多重）またはＴＤＤモード（時分割多重）でドライブされるＴＤ−ＣＤＭＡシステムは、毎秒約４Ｍチップのチップ速度を有するデジタル信号の拡散に相応して、約４ＭＨｚのバンド幅を有する。
【００３０】
変調スペクトルが緩慢に降下するため、隣接チャネル抑圧のためには周波数間隔ｄ（ガードバンド）が種々異なる周波数チャネルｆ間に必要である。この周波数間隔はフレキシブルにそれぞれの物理的フレーム条件に適合することができる。したがって粗いラスタパターンには例えば５ＭＨｚのスケーリングが割り当てられる。微細なラスタパターンには例えば２００ｋＨｚのスケーリングが割り当てられる。
【００３１】
これらのラスタパターンに基づいて、その中央周波数ｍが微細なラスタパターンのスケール点にある周波数チャネルｆだけが定義される。ここで微細なラスタパターンは次のように制限される。すなわち微細なラスタパターンが粗いラスタパターンのスケール点の周囲で所定のインターバルで定義されるように制限される。
【００３２】
次に上に述べたラスタパターンに基づく、制限された周波数チャネルサーチまたはチャネルサーチ（スキャン）のための方法を説明する。この方法は微細なラスタパターンの定義領域を制限することによりエネルギーを節約して実行することができる。
【００３３】
移動局ＭＳをスイッチオンすると、とりわけ国外では、または移動局ＭＳが移動無線システムに新たにログインしようとする別の状況では、移動局の高周波部ＨＦのシンセサイザＳＹＮが基本的に可能な全ての中央周波数ｍに調整される。場合によってはこの周波数チャネルで所定の最小電力を有する無線信号が受信されるか否かが測定される。所定の最小電力を有する無線信号が受信されるなら、この信号が既知の特徴的同期シーケンスにしたがってサーチされる。この周波数チャネルで特徴的同期シーケンスが送信されていれば、移動局ＭＳはこの同期シーケンスを送信する移動無線システムに同期し、シグナリングチャネルを介して送信されたシステム情報を処理し、移動局ＭＳが許容された移動無線システムの場合にはこの移動無線システムにログインする。それ以外の場合には、シンセサイザは次の周波数チャネルに調整される。
【００３４】
周波数チャネルｆで所定の最小電力を有する無線信号が送信されていないか、または特徴的同期シーケンスが伝送されていなければ、同様に次の無線チャネルに移行する。
【００３５】
チャネルサーチの従来の方法では、基本的に可能な全ての中央周波数ｍが、例えば２００ｋＨｚステップでサーチされる。これによりチャネルサーチはとりわけ中央周波数についての事前情報が既知でない国外においては非常に面倒である。
【００３６】
これに対して本発明の改善形態では基本的にｎ＊５ＭＨｚ＋ｋ＊２００ｋＨｚの中央周波数を有する周波数チャネルｆだけが許容される。ここでｎは粗いラスタパターンのスケーリングとして例えば０から１２の間の整数であり、ｋは微細なラスタパターンのスケーリングとして４より小さい絶対値の整数である。微細なラスタパターンは粗いラスタパターンとは異なり、正または負の整数を表す。したがってｋ＊２００ｋＨｚは５ＭＨｚより格段に小さい。
ｍ＝ｆ０＋ｎ＊５ＭＨｚ＋ｋ＊２００ｋＨｚ；ただし−ｋｍａｘ≦ｋ＜＋ｋｍａｘ；ｆ０は最小の中央周波数。
【００３７】
特定の周波数チャネル構成が基本的に排除される。これにより周波数チャネルサーチに対するコストおよびエネルギー消費は格段に小さくなる。
【００３８】
可能な周波数チャネル（搬送波周波数）の１／５だけをサーチすればよく、
干渉を回避するための周波数チャネルを構成するための十分なフレキシビリティが得られ、
移動局の搬送波周波数に対するサーチ持続時間を８０％に低減することができ、このことにより相応にスタンバイ時間が延長される、
所定の周波数チャネルを記述するための情報を効率的に符号化し、伝送することができ、このことは将来のシステムの、既存のシステム、いわゆる第２世代のＧＳＭシステムに対する互換性を高める。なぜならシグナリングチャネルについて比較的少ない情報をこのシステムに伝送すればよいからである。
【００３９】
効率的なチャネルサーチのための別の構成では、まず中央周波数ｍ＝ｎ＊５ＭＨｚの周波数チャネルｆがサーチされ、次いで中央周波数ｍ＝ｎ＊５ＭＨｚ±１＊２００ｋＨｚの周波数チャネルｆがサーチされ、次に中央周波数ｍ＝ｎ＊５ＭＨｚ±２＊２００ｋＨｚの周波数チャネルｆがサーチされ、これが中央周波数ｍ＝ｎ＊５ＭＨｚ±ｋｍａｘ＊２００ｋＨｚまで続けられる。
【００４０】
効率的なチャネルサーチの別の構成では、まず中央周波数ｍ＝ｎ＊５ＭＨｚの周波数チャネルがサーチされ、次いで中央周波数ｍ＝ｎ＊５ＭＨｚ±ｋｍａｘ＊２００ｋＨｚの周波数チャネルｆがサーチされ、次に中央周波数ｍ＝ｎ＊５ＭＨｚ±（ｋｍａｘ−１）＊２００ｋＨｚの周波数チャネルｆがサーチされ、これが中央周波数ｍ＝ｎ＊５ＭＨｚ±１＊２００ｋＨｚの周波数チャネルｆまで続けられる。
【００４１】
ｋの定義領域の制限は、離散値の別の集合を仮定することができる。これは例えばｋ：−１２，−７，−３，−１，０，１，３，７である。ここでｋに対する離散値集合は各ｎごとに異なっても良い。
【００４２】
したがって比較的に大きな確率により使用される周波数チャネルが移動局ＭＳにより優先的にサーチされる。所定の周波数チャネルの優先度についての情報は移動局ＭＳに記憶するか、または時折ネットワークプロバイダーにより移動無線システムを介して移動局ＭＳへ伝送される。
【００４３】
中央周波数（搬送波中央周波数）は以下の式にしたがって検出することができる。
【００４４】
ｍ＝ｆ０＋ｎ＊ｆｓ＋ｋ＊２００ｋＨｚ、ただし
ｆ０は最小の中央周波数であり、本発明の実施例で以下が当てはまる。
ｎ＝ＵＡＲＦＣＮ  div  Ｎｃ
ｋ＝（ＵＡＲＦＣＮ  mod  Ｎｃ）−（Ｎｃ  div  ２）
Ｎｃ＝粗いラスタパターンにおいて搬送波を中心に可能な搬送波配置の数
ＵＡＲＦＣ＝使用される周波数チャネルの番号。
【００４５】
第１の中央周波数ｆ０，ｆｓ（例えば＝５ＭＨｚ）と粗いラスタパターンにおける搬送波の数Ｎｃはここでは使用されるチップレートおよび周波数バンドに依存する。
【００４６】
この種の搬送波構成により、効率的な符号化と効率的な最初の同期が可能になる。ｍを中央周波数としてではなく、例えば無線チャネルの縁部周波数として把握することもできる。または他の形態で無線チャネルを記述するのに使用することもできる。
【００４７】
本発明の実施例では、本発明の枠内に存在する周波数チャネルの集合を変更する。この変更は、周波数チャネルの集合を追加するか、またはこれから除去することにより行う。このことはまた、この集合に含まれる周波数チャネルの優先度により行うことができる。サーチすべき周波数チャネル集合のこの種の変更は、加入者識別モジュールから、または無線インタフェースを介して無線局の制御装置に通知される相応のデータにより実現することができる。
【００４８】
さらに周波数チャネルの記述を上に述べたラスタパターンに基づいて効率的に行うことができる。
【００４９】
移動無線システムを管理ないし駆動するために、とりわけ基地局ＢＳと移動局ＭＳとの間で多数の状況においてシグナリング情報が伝送される。このシグナリング情報は、周波数チャネルｆについての情報も含んでおり、これは例えば周波数間ハンドオーバを実行し、または隣接チャネルリストを伝送するためである。
【００５０】
上に述べたラスタパターンを使用して周波数チャネルｆの記述または符号化することにより、ないしは相応にスケーリングすることにより、例えば情報"中央周波数が１０．６ＭＨｚの周波数チャネル"を伝送するために変数情報ｎ＝２，ｋ＝３（第１の変数情報）を伝送することができ、この情報を受信側の無線局でそこに記憶されている定数情報５ＭＨｚ、２００ｋＨｚ（第２の定数情報）と共に中央周波数ｍを以下のように検出するのに使用することができる。
ｍ＝２＊５ＭＨｚ＋３＊２００ｋＨｚ＝１０．６ＭＨｚ
場合によりこのために記憶された一定の値ｆ０を付加することができる。
ｍ＝ｆ０＋２＊５ＭＨｚ＋３＊２００ｋＨｚ＝ｆ０＋１０．６ＭＨｚ
このようにして使用すべきまたは使用される周波数チャネルｆについての情報、ないしはその中央周波数ｍについての情報を僅かなコストと比較的に少数のビット数により移動局ＭＳから基地局ＢＳへ、またはその反対に伝送することができる。
【００５１】
図４は、基地局ＢＳまたは移動局ＭＳとすることができる無線局を示す。この無線局は、制御装置ＳＴＥ、処理装置ＶＥ、電流供給装置ＳＶＥおよび高周波部ＨＦからなり、高周波部ＨＦは受信装置ＥＥ、送信装置ＳＥおよび周波数シンセサイザＳＹＮとアンテナＡＮＴからなる。無線局の個々の要素は導体路またはバスシステムにより相互に接続されている。移動局はさらにスピーカ素子とマイクロフォン素子を備える操作ユニットを有する。
【００５２】
制御装置ＳＴＥは実質的にプログラム制御可能なマイクロコントローラおよび処理装置ＶＥからなり、処理装置はデジタルシグナルプロセッサからなる。ここで両者は記憶構成素子ＳＰＥに書き込みと読み出しのアクセスをすることができる。
【００５３】
マイクロコントローラは全ての重要な素子、無線局ＭＳ／ＢＳの機能および通信とシグナリングを制御および管理する。
【００５４】
揮発性または不揮発性記憶構成素子ＳＰＥには、無線局と通信フローの制御に必要なプログラムデータ、機器情報、信号の処理中に発生する情報、および周波数チャネルのラスタパターンについての定数情報と定義領域の制限についての情報が記憶されている。
【００５５】
高周波部ＨＦは送信装置ＳＥを有し、送信装置は変調器と増幅器Ｖを有する。さらに高周波部は受信装置ＥＥを有し、受信部は復調器と同様に増幅器Ｖを有する。送信装置ＳＥと受信装置ＥＥとにはシンセサイザＳＹＮを介して電圧制御発振器ＶＣＯの周波数が供給される。周波数サーチおよび情報伝送のためにシンセサイザＳＹＮと相応の受信フィルタとは制御装置ＳＴＥにより制御信号を用いて所望の中央周波数ｍ（搬送波周波数）に調整される。このことは上に述べた方法にしたがって行うことができる。
【００５６】
ＣＤＭＡ伝送ないしＣＤＭＡ無線局では、伝送すべき情報が処理装置ＶＥで変調の前に接続固有のＣＤＭＡコード（拡散コード）によって拡散され、伝送後に脱拡散される。受信された無線信号を特徴的同期シーケンス（場合により記憶構成素子ＳＰＥに記憶されている）について検査することも処理装置ＶＥによって行われる。
【図面の簡単な説明】
【図１】  図１は、移動無線システムのブロック回路図である。
【図２】  図２は、多重アクセス方式を説明するための概略図である。
【図３】  図３は、周波数チャネル割り当てのためのラスタパターンの概略図である。
【図４】  図４は、無線局のブロック回路図である。
【図１】
0004511730.tif 000002
【図２】
0004511730.tif 000003
【図３】
0004511730.tif 000004
【図４】
0004511730.tif 000005